(57)【要約】【課題】液晶ディスプレイパネルの点灯後の画像品質自動検出装置の提供。【解決手段】ＬＣＤ製造工程中の人工目視検出機台上方に、跨架運動機構を介して取り付けられたディジタルカメラが上下或いは左右の移動方式で定点に移動した後、静止の撮影方式でＬＣＤパネル点灯後に表示される画像完全に撮影するシステムにより、コンピュータソフトに識別破壊点（ＭＵＲＡ）、輝点（ＤＯＴ／ＬＩＮＥ）等の欠陥を分析させ、自動検出の目的を達成し、並びに検出の作業距離を調整し、人工補助検視機能を具備し、異なる規格サイズのＬＣＤパネルの検出に適用されると共に検出解析度調整の長所を有する。【選択図】　　　　図２
0003097783.tif 000002
【実用新案登録請求の範囲】
【請求項１】
ＬＣＤ製造工場の人工目視検査機台の上方に取り付けられ、ＬＣＤパネルの画像品質に対する自動検査の機能を具備する液晶ディスプレイパネルの点灯後の画像品質自動検出装置において、
跨架機構と跨架運動機構を具え、
該跨架機構は、二つのホルダシートを具え、該ホルダシートは人工目視検査機台の上方両側に固定され、該二つのホルダシートの内側にそれぞれスライドレールが固定されてスライドシートが嵌合され、該スライドシートが跨架運動機構のベースシートの両側壁に固定され、且つ該ベースシートの両側壁にそれぞれ伝動ブロックが設けられ、該伝動ブロックに駆動スクリューロッドが螺設され、二つの駆動スクリューロッドがそれぞれ該ホルダシート両側の軸受シートに通され、且つ各駆動スクリューロッドがそれぞれ軸連接器で駆動モータの軸心と連結され、駆動モータが回転する時、軸連接器を介して駆動スクリューロッドが駆動されて回転し、これにより跨架運動機構のベースシートの両側壁の伝動ブロックが駆動され、跨架運動機構がそのベースシートの両側に固定されたスライドシートにより前述の人工目視検査機台上方両側に設けられたホルダシートのスライドレールの上方で上下に往復直線移動運動を形成し、且つ該跨架運動機構が運動して所定の位置に至る時、その上方に設けられた複数組のディジタルカメラが静止の撮影方式で逐次人工目視検査機台上方のすでに点灯したＬＣＤパネルに表示された画像を撮影し、適時にコンピュータのソフトウエアに提供しその破壊点、輝点等の欠陥の分析識別に供し、これによりＬＣＤパネルの画像品質の自動検出を達成し、
該跨架運動機構は、ベースシートを具え、該ベースシートの前方両側に調整用スライドレールが設けられて第１スライドシートと第２スライドシートが嵌合され、下方に位置する第２スライドシートがネジ部品で第２連接シートに固定され、第２連接シートの上方にレンズを具えたレンズシートが固定され、該第２連接シートの背面にネジ部品で視野変換駆動ナットが連結され、該視野変換駆動ナットがベースシートの溝より突出し該視野変換駆動ナット内に螺合された視野変換駆動スクリューロッドの伝動を受け、ベースシートの背面に別に軸受と軸連接装置が固定されて、視野変換駆動モータの設置に供され、該視野変換駆動モータの軸心が軸連接装置により視野変換駆動スクリューロッドの回転時に視野変換駆動ナットに伝動して第２連接シートを駆動し、該第２連接シートの両側に固定された第２スライドシートがベースシートの両側の調整用スライドレールの上方にあって往復移動し、これにより第２連接シートの上方のレンズもまた上下に移動運動してレンズと検出待機のＬＣＤパネル間の距離が改変されて視野の大きさが変換され、これにより撮影する画素解析度が改変調整され、第２連接シートの背面にモータシートが固定されてフォーカス駆動モータの設置に供され、該フォーカス駆動モータの軸心が軸連接器によりフォーカス駆動スクリューロッドに連結され、該フォーカス駆動スクリューロッドがベースシートに設けられた軸受に通され、該フォーカス駆動スクリューロッドにフォーカス駆動ナットが螺合され、該フォーカス駆動ナットがベースシートの溝を通過し並びにネジ部品で第１連接シートの背面に固定され、第１連接シートの前側に複数のディジタルカメラ本体の固定に供されるカメラシートが固定され、且つ第１連接シートの両側にそれぞれ第１スライドシートが固定され、これによりフォーカス駆動モータが回転してフォーカス駆動スクリューロッドがこれに伴い回転し、これによりフォーカス駆動ナットが第１連接シートを駆動してその両側に固定された第１スライドシートを調整用スライドレールの上方にあって上下に往復移動させ、同時に第１連接シートの上方のディジタルカメラ本体がこれに伴い上下に移動運動してディジタルカメラ本体と第２連接シート上方のレンズの相対距離が改変され、これにより正確なフォーカス機能が達成されることを特徴とする、液晶ディスプレイパネルの点灯後の画像品質自動検出装置。
【請求項２】
請求項１記載の液晶ディスプレイパネルの点灯後の画像品質自動検出装置において、跨架運動機構のレンズシートの一側にスライドレールが固定されてスライドシートが嵌合され、該スライドシートに偏光レンズセットが連結されて画像表示機能が強化されたことを特徴とする、液晶ディスプレイパネルの点灯後の画像品質自動検出装置。
【考案の詳細な説明】
【０００１】
【考案の属する技術分野】
本考案は一種の液晶ディスプレイパネルの点灯後の画像品質自動検出装置に係り、一般のＬＣＤ製造工程中にＬＣＤパネル点灯検出時に破壊点（ＭＵＲＡ）、輝点（ＤＯＴ／ＬＩＮＥ）等の欠陥を検出する要求に対して提供される、人工検出を必要とせずに有効に自動検出できる装置に関する。
【０００２】
【従来の技術】
周知のＬＣＤパネル点灯後の画像品質の自動検出は、人工目視方式により検出が行われ、それはフィード装置により検出するＬＣＤパネルを人工目視検査機台内に送り、並びに機台に設けられた顕微鏡により目視検出し、点灯後のＬＣＤパネルに破壊点（ＭＵＲＡ）、輝点（ＤＯＴ／ＬＩＮＥ）等の欠陥があるかを検出し、検出完了後にさらに送り出し装置に送る。このような人力目視方式は検出速度が遅く、判断を誤りやすく、また自動化要求の原則に符合しない。
【０００３】
【考案が解決しようとする課題】
本考案は一種の液晶ディスプレイパネルの点灯後の画像品質自動検出装置を提供することを課題としている。
【０００４】
【課題を解決するための手段】
請求項１の考案は、ＬＣＤ製造工場の人工目視検査機台の上方に取り付けられ、ＬＣＤパネルの画像品質に対する自動検査の機能を具備する液晶ディスプレイパネルの点灯後の画像品質自動検出装置において、
跨架機構と跨架運動機構を具え、
該跨架機構は、二つのホルダシートを具え、該ホルダシートは人工目視検査機台の上方両側に固定され、該二つのホルダシートの内側にそれぞれスライドレールが固定されてスライドシートが嵌合され、該スライドシートが跨架運動機構のベースシートの両側壁に固定され、且つ該ベースシートの両側壁にそれぞれ伝動ブロックが設けられ、該伝動ブロックに駆動スクリューロッドが螺設され、二つの駆動スクリューロッドがそれぞれ該ホルダシート両側の軸受シートに通され、且つ各駆動スクリューロッドがそれぞれ軸連接器で駆動モータの軸心と連結され、駆動モータが回転する時、軸連接器を介して駆動スクリューロッドが駆動されて回転し、これにより跨架運動機構のベースシートの両側壁の伝動ブロックが駆動され、跨架運動機構がそのベースシートの両側に固定されたスライドシートにより前述の人工目視検査機台上方両側に設けられたホルダシートのスライドレールの上方で上下に往復直線移動運動を形成し、且つ該跨架運動機構が運動して所定の位置に至る時、その上方に設けられた複数組のディジタルカメラが静止の撮影方式で逐次人工目視検査機台上方のすでに点灯したＬＣＤパネルに表示された画像を撮影し、適時にコンピュータのソフトウエアに提供しその破壊点、輝点等の欠陥の分析識別に供し、これによりＬＣＤパネルの画像品質の自動検出を達成し、
該跨架運動機構は、ベースシートを具え、該ベースシートの前方両側に調整用スライドレールが設けられて第１スライドシートと第２スライドシートが嵌合され、下方に位置する第２スライドシートがネジ部品で第２連接シートに固定され、第２連接シートの上方にレンズを具えたレンズシートが固定され、該第２連接シートの背面にネジ部品で視野変換駆動ナットが連結され、該視野変換駆動ナットがベースシートの溝より突出し該視野変換駆動ナット内に螺合された視野変換駆動スクリューロッドの伝動を受け、ベースシートの背面に別に軸受と軸連接装置が固定されて、視野変換駆動モータの設置に供され、該視野変換駆動モータの軸心が軸連接装置により視野変換駆動スクリューロッドの回転時に視野変換駆動ナットに伝動して第２連接シートを駆動し、該第２連接シートの両側に固定された第２スライドシートがベースシートの両側の調整用スライドレールの上方にあって往復移動し、これにより第２連接シートの上方のレンズもまた上下に移動運動してレンズと検出待機のＬＣＤパネル間の距離が改変されて視野の大きさが変換され、これにより撮影する画素解析度が改変調整され、第２連接シートの背面にモータシートが固定されてフォーカス駆動モータの設置に供され、該フォーカス駆動モータの軸心が軸連接器によりフォーカス駆動スクリューロッドに連結され、該フォーカス駆動スクリューロッドがベースシートに設けられた軸受に通され、該フォーカス駆動スクリューロッドにフォーカス駆動ナットが螺合され、該フォーカス駆動ナットがベースシートの溝を通過し並びにネジ部品で第１連接シートの背面に固定され、第１連接シートの前側に複数のディジタルカメラ本体の固定に供されるカメラシートが固定され、且つ第１連接シートの両側にそれぞれ第１スライドシートが固定され、これによりフォーカス駆動モータが回転してフォーカス駆動スクリューロッドがこれに伴い回転し、これによりフォーカス駆動ナットが第１連接シートを駆動してその両側に固定された第１スライドシートを調整用スライドレールの上方にあって上下に往復移動させ、同時に第１連接シートの上方のディジタルカメラ本体がこれに伴い上下に移動運動してディジタルカメラ本体と第２連接シート上方のレンズの相対距離が改変され、これにより正確なフォーカス機能が達成されることを特徴とする、液晶ディスプレイパネルの点灯後の画像品質自動検出装置としている。
請求項２の考案は、請求項１記載の液晶ディスプレイパネルの点灯後の画像品質自動検出装置において、跨架運動機構のレンズシートの一側にスライドレールが固定されてスライドシートが嵌合され、該スライドシートに偏光レンズセットが連結されて画像表示機能が強化されたことを特徴とする、液晶ディスプレイパネルの点灯後の画像品質自動検出装置としている。
【０００５】
【考案の実施の形態】
図１から図５に示されるように、本考案は一種の液晶ディスプレイパネルの点灯後の画像品質自動検出装置であり、それは、ＬＣＤ製造工場の人工目視検査機台１０の上方に取り付けられ、ＬＣＤパネル２０の画像品質に対する自動検査の機能を具備する。それは、跨架機構３０と跨架運動機構３１を具えている。
【０００６】
跨架機構３０（図２参照）は、二つのホルダシート３０６を具え、該ホルダシート３０６は人工目視検査機台１０の上方両側に固定され、該二つのホルダシート３０６の内側にそれぞれスライドレール３０４が固定されてスライドシート３０５が嵌合され、該スライドシート３０５が跨架運動機構３１のベースシート３１１の両側壁３１１１に固定され、且つ該ベースシート３１１の両側壁３１１１にそれぞれ伝動ブロック３１１０が設けられ、該伝動ブロック３１１０に駆動スクリューロッド３０３が螺設され、二つの駆動スクリューロッド３０３がそれぞれ該ホルダシート３０６両側の軸受シート３０７、３０８に通され、且つ各駆動スクリューロッド３０３がそれぞれ軸連接器３０２で駆動モータ３０１の軸心と連結されている。駆動モータ３０１が回転する時、軸連接器３０２を介して駆動スクリューロッド３０３が駆動されて回転し、これにより跨架運動機構３１のベースシート３１１の両側壁３１１１の伝動ブロック３１１０が駆動され、跨架運動機構３１がそのベースシート３１１の両側に固定されたスライドシート３０５により前述の人工目視検査機台１０上方両側に設けられたホルダシート３０６のスライドレール３０４の上方で上下に往復直線移動運動を形成し、且つ該跨架運動機構３１が運動して所定の位置に至る時、その上方に設けられた複数組のディジタルカメラ３３が静止の撮影方式で逐次人工目視検査機台１０上方のすでに点灯したＬＣＤパネル２０に表示された画像を撮影し、適時にコンピュータ（図示せず）のソフトウエアに提供しその破壊点（ＭＵＲＡ）、輝点（ＤＯＴ／ＬＩＮＥ）等の欠陥の分析識別に供し、これによりＬＣＤパネル２０の画像品質の自動検出の目的を達成する。その後、さらに検出完成したＬＣＤパネル２０を人工目視検査機台１０より送出し、並びに送り出し装置（図示せず）に進入させ、人工目視検査機台１０の一側のフィード装置（図示せず）が適時に検出待機のＬＣＤパネル２０を人工目視検査機台１０内に送り検出に待機させる。前述のＬＣＤパネル２０の輸送作業、フィード装置（図示せず）、及び送り出し装置（図示せず）は一般にＬＣＤ製造工場で使用されている周知の技術であるため説明は省略する。
【０００７】
跨架運動機構３１（図２、３）は、ベースシート３１１を具え、該ベースシート３１１の前方両側に調整用スライドレール３１２が設けられて第１スライドシート３１３と第２スライドシート３１０が嵌合され、下方に位置する第２スライドシート３１０がネジ部品（図示せず）で第２連接シート３２１に固定され、第２連接シート３２１の上方にレンズ３２３を具えたレンズシート３２２が固定され、該第２連接シート３２１の背面にネジ部品（図示せず）で視野変換駆動ナット３２８（図３、４参照）が連結され、該視野変換駆動ナット３２８がベースシート３１１の溝３１１２より突出し該視野変換駆動ナット３２８内に螺合された視野変換駆動スクリューロッド３２７の伝動を受ける。ベースシート３１１の背面に別に軸受３２６と軸連接装置３２５が固定されて、視野変換駆動モータ３２４の設置に供され、該視野変換駆動モータ３２４の軸心が軸連接装置３２５により視野変換駆動スクリューロッド３２７の回転時に視野変換駆動ナット３２８に伝動して第２連接シート３２１を駆動し、該第２連接シート３２１の両側に固定された第２スライドシート３１０がベースシート３１１の両側の調整用スライドレール３１２の上方にあって往復移動し、これにより第２連接シート３２１の上方のレンズ３２３もまた上下に移動運動してレンズ３２３と検出待機のＬＣＤパネル２０間の距離が改変されて視野の大きさが変換され、これにより撮影する画素解析度が改変調整される。別に図３、５に示されるように、第２連接シート３２１の背面にモータシート３３５が固定されてフォーカス駆動モータ３３４の設置に供され、該フォーカス駆動モータ３３４の軸心が軸連接器３３６によりフォーカス駆動スクリューロッド３３７に連結され、該フォーカス駆動スクリューロッド３３７がベースシート３１１に設けられた軸受３３９に通され、該フォーカス駆動スクリューロッド３３７にフォーカス駆動ナット３３８が螺合され、該フォーカス駆動ナット３３８がベースシート３１１の溝３１１２を通過し並びにネジ部品（図示せず）で第１連接シート３３１の背面に固定され、第１連接シート３３１の前側に複数のディジタルカメラ本体３３３の固定に供されるカメラシート３３２が固定され、且つ第１連接シート３３１の両側にそれぞれ第１スライドシート３１３が固定され、これによりフォーカス駆動モータ３３４が回転してフォーカス駆動スクリューロッド３３７がこれに伴い回転し、これによりフォーカス駆動ナット３３８が第１連接シート３３１を駆動してその両側に固定された第１スライドシート３１３を調整用スライドレール３１２の上方にあって上下に往復移動させ、同時に第１連接シート３３１の上方のディジタルカメラ本体３３３もまたこれに伴い上下に移動運動してディジタルカメラ本体３３３と第２連接シート３２１上方のレンズ３２３の相対距離が改変され、これにより正確なフォーカス機能が達成される。
【０００８】
さらに、図２、４に示されるように、前述の跨架運動機構３１のレンズシート３２２の一側にスライドレール３２２１が固定されてスライドシート３２２２が嵌合され、スライドシート３２２２に偏光レンズセット３２２０が連結されて像表示効果を強化している。
【０００９】
また、前述の第２連接シート３２１が駆動されて上下に移動運動する時、第２連接シート３２１の背面にもフォーカス駆動モータ３３４が固定されたモータシート３３５が連結されているため、第２連接シート３２１の上下移動時にフォーカス駆動モータ３３４のもう一側に連結されたフォーカス駆動スクリューロッド３３７に螺合されたフォーカス駆動ナット３３８が第１連接シート３３１を駆動して同期に上下に移動運動させる。
【００１０】
【考案の効果】
総合すると、本考案は以下の効果を達成している。
１．自動的に跨架駆動モータ３０１を制御して跨架駆動スクリューロッド３０３を駆動し跨架運動機構３１のベースシート３１１の両側の伝動ブロック３１１０に伝動し、ベースシート３１１をその両側に固定されたスライドシート３０５により人工目視検査機台１０の上方両側に設けられたホルダシート３０６のスライドレール３０４の上方で上下に往復直線移動動作を行わせ、跨架運動機構３１が運動して所定位置に至る時に、その上方に設けられた複数のディジタルカメラ３３により静止方式で逐次人工目視検査機台１０の上方に位置決めされて既に点灯したＬＣＤパネル２０の表示する画像を完全に撮影し適時コンピュータソフトに提供して破壊点（ＭＵＲＡ）、輝点（ＤＯＴ／ＬＩＮＥ）等の欠陥を分析識別させ、これにより検出の自動化の目的を達成する。
２．ディジタルカメラ３３のレンズ３２３と検出待機のＬＣＤパネル２０の作業距離を調整でき、異なる規格の各種の周知の人工目視検査機台１０の高さ要求に適用され、このほか、現在大多数の人工目視検査機台１０はいずれも斜面方式を採用し、本考案の自動検出装置を機台斜面に取り付けた後に機台の占用空間が過大となる時は、本考案の作業距離を調整することにより有効に空間の占用を減少できる。
３．フォーカス駆動モータ３３４が回転して単独で第１連接シート３３１に伝動し、その両側の第１スライドシート３１３に上下移動運動させてその上方に設けられたディジタルカメラ本体３３３と第２連接シート３２１に設けられたレンズ３２３の相対距離を改変することにより、正確なフォーカス機能を達成できる。
４．自動検出機能のほか、人員が補助的検査する時に跨架運動機構３１を上向きに移動させて人員による目視検査が行え、同一機台装置で自動と人工検査の機能を達成できる。
５．跨架運動機構３１が上下移動して所定の位置に至り画像を取得することができ、弾性的に異なるサイズ規格のＬＣＤパネル２０の検出が行え、特別に大きなサイズの検出が必要である時は、ただ跨架運動機構３１の移動行程を増加してディジタルカメラ３３の数量を増加すればよい。
６．異なる作業要求、例えば高解析度検出が必要である時は比較的多くのディジタルカメラ３３を増加するか、或いは比較的低い解析度での検出が必要な時はディジタルカメラ３３を減少し、これにより検出解析度の要求に柔軟に対応できる。
【図面の簡単な説明】
【図１】本考案の実施例を一般の人工目視検査機台の上方に設置した斜視図である。
【図２】本考案の実施例の斜視図である。
【図３】本考案の実施例中の跨架運動機構の背面斜視図である。
【図４】本考案の実施例中の視野変換関係部品の側面図である。
【図５】本考案の実施例中のフォーカス関係部品の平面図である。
【符号の説明】
１０　人工目視検査機台
２０　ＬＣＤパネル
３０　跨架機構
３０１　駆動モータ
３０２　軸連接器
３０３　駆動スクリューロッド
３０４　スライドレール
３０５　スライドシート
３０６　ホルダシート
３０７、３０８　軸受シート
３１　跨架運動機構
３１０　第２スライドシート
３１１　ベースシート
３１１０　伝動ブロック
３１１１　両側壁
３１１２　溝
３１２　調整用スライドレール
３１３　第１スライドシート
３２１　第２連接シート
３２３　レンズ
３２２　レンズシート
３２２０　偏光レンズセット
３２２１　スライドレール
３２２２　スライドシート
３２４　視野変換駆動モータ
３２５　軸連接装置
３２６　軸受
３２７　視野変換駆動スクリューロッド
３２８　視野変換駆動ナット
３３５　モータシート
３３６　軸連接器
３３７　フォーカス駆動スクリューロッド
３３８　フォーカス駆動ナット
３３９　軸受
３３１　第１連接シート
３３３　ディジタルカメラ本体
３３２　カメラシート
３３４　フォーカス駆動モータ
【図１】
0003097783.tif 000003
【図２】
0003097783.tif 000004
【図３】
0003097783.tif 000005
【図４】
0003097783.tif 000006
【図５】
0003097783.tif 000007